(57)【要約】【課題】  撮像装置が動作中に冷却ファンの振動や駆動音を避けるため、冷却ファンの回転数を下げてしまうと放熱効果が下がってしまう。【解決手段】  撮影光学系と、撮像素子と、冷却ファンと、前記冷却ファンにより冷却媒体が流れる流路部と、前記流路部に設けられた熱交換を行う熱交換部と、前記冷却ファンの回転数を制御する冷却ファン制御部と、前記冷却ファンの回転数に応じて、前記熱交換部の面積を変化させる熱交換部面積制御部とで撮像装置を構成する。【選択図】  図１
2018093299.tif 000002
【特許請求の範囲】
【請求項１】
冷却ファンと、
前記冷却ファンにより冷却媒体が流れる流路において冷却媒体と熱交換を行う熱交換部と、
前記冷却ファンの回転数に応じて前記熱交換部の面積を変化させるように制御する制御手段と、
を有することを特徴とする撮像装置。
【請求項２】
前記制御手段は前記冷却ファンの回転数を下げる場合に前記熱交換部の面積を小さくするように制御し、前記冷却ファンの回転数を上げる場合に前記熱交換部の面積を大きくするように制御することを特徴とする請求項１に記載の撮像装置。
【請求項３】
前記熱交換部は複数の放熱フィンを持ち、前記放熱フィンの間隔を変更することにより前記冷却媒体と熱交換を行う面積を変化させることを特徴とする請求項１又は２に記載の撮像装置。
【請求項４】
前記熱交換部は前記冷却媒体の流路方向に伸縮可能な放熱フィンを持ち、前記放熱フィンの長さを変更することにより前記冷却媒体と熱交換を行う面積を変化させることを特徴とする請求項１又は２に記載の撮像装置。
【請求項５】
前記熱交換部は前記冷却媒体の流路方向に対して垂直な高さ方向に伸縮可能な放熱フィンを持ち、前記放熱フィンの高さを変更することにより前記冷却媒体と熱交換を行う面積を変化させることを特徴とする請求項１又は２に記載の撮像装置。
【発明の詳細な説明】
【技術分野】
【０００１】
本発明は、撮像装置に関するものである。
【背景技術】
【０００２】
デジタルカメラやデジタルビデオカメラなどの撮像装置に用いられる撮像素子は、それ自体が発熱しやすく、また高温になるとノイズが増える性質がある。さらに、カメラに用いられるマイコン等の撮像素子以外の電子部品も、高性能化に伴い熱の発生量が増えてきている。そのため、デジタルカメラやデジタルビデオカメラ等の撮像素子を使用した撮像装置では、撮像素子や電子部品が高温になることを防ぐため、冷却ファンを設けて撮像装置の内部を冷却しているものがある。
【０００３】
ここで、露光中に冷却ファンを駆動させる場合、冷却ファンの回転による振動が撮像装置に伝わり画像ぶれを起こす可能性や、動画撮影時には、冷却ファンの駆動音がマイクに入力されてしまう可能性がある。そこで、冷却ファンの回転数が予め設定した値より大きいときには露光を禁止することが提案されている（特許文献１参照）。また、冷却ファンが複数の回転速度モードを持ち、冷却ファンの駆動音が録音されてしまう恐れのある場合には冷却ファンを低速モードで駆動させることが提案されている（特許文献２参照）。
【先行技術文献】
【特許文献】
【０００４】
【特許文献１】特開平１１−１７７８５８号
【特許文献２】特開２０１０−６２８９２号
【発明の概要】
【発明が解決しようとする課題】
【０００５】
しかしながら、露光中は非露光時と比較して、撮像素子や画像処理に使われる電子部品が発熱するため、特許文献１や特許文献２に記載されているように冷却ファンの回転数を下げるような制御を行うと、放熱効果が下がってしまうという課題がある。
【０００６】
本発明は上記課題に鑑みてなされたものであり、冷却ファンの回転数にかかわらず放熱効果を保つように制御することを目的とする。
【課題を解決するための手段】
【０００７】
本発明の撮像装置は、冷却ファンと、前記冷却ファンにより冷却媒体が流れる流路において冷却媒体と熱交換を行う熱交換部と、前記冷却ファンの回転数に応じて前記熱交換部の面積を変化させるように制御する制御手段と、を有することを特徴とする。
【発明の効果】
【０００８】
本発明によれば、冷却ファンの回転数にかかわらず十分な放熱効果を得ることができる。
【図面の簡単な説明】
【０００９】
【図１】本発明の第１実施例のシステム図。
【図２】本発明の第１実施例の流路部を説明する図。
【図３】本発明の第１実施例の熱交換部を説明する図。
【図４】本発明の第１実施例の熱交換部の断面を説明する図。
【図５】本発明の第１実施例の効果を説明するグラフを示す図。
【図６】本発明の第１実施例の熱交換部面積の変化を説明するフローチャート。
【図７】本発明の第２実施例の熱交換部を説明する図。
【図８】本発明の第３実施例の熱交換部を説明する図。
【発明を実施するための形態】
【００１０】
［実施例１］
以下に、本発明の好ましい実施の形態を、添付の図面に基づいて詳細に説明する。
【００１１】
図１（ａ）は実施例１における撮像装置の中央断面図である。実施例１の撮像装置はカメラ本体１とレンズ鏡筒２からなる。なお、本実施例では、カメラ本体１とレンズ鏡筒２が分離する形態をとって説明するが、カメラ本体１とレンズ鏡筒２が一体となっている撮像装置でも構わない。
【００１２】
図１（ａ）において、カメラ本体１にレンズ鏡筒２が装着されている。なお、カメラ本体１とレンズ鏡筒２は、電気接点９を介して接続されている。レンズ鏡筒２は、複数の光学レンズからなる撮影光学系３を内蔵している。また、カメラ本体１は、撮像素子６、冷却媒体が熱交換を行う熱交換部１０、冷却ファン１１から構成される流路部１４、冷却ファン１１を制御する冷却ファン制御部１２、熱交換部１０を制御する熱交換部制御部１３を内蔵している。そして、撮影光学系３の光軸４に沿って撮像素子６に被写体の光が入射する。
【００１３】
図１（ｂ）は本実施例におけるカメラシステムの電気的構成を示したブロック図である。図１（ｂ）において、レンズシステム制御部１５は、カメラ本体１からの指令、またはユーザにより入力される指令に応じてレンズ鏡筒２を制御する。すなわち、レンズシステム制御部１５は、撮影光学系３を構成する焦点レンズ、ブレ補正レンズ、絞りなどを駆動する。
【００１４】
冷却ファン制御部１２は、冷却ファン回転数検知部１２ａと、冷却ファン回転数制御部１２ｂから構成される。冷却ファン回転数検知部１２ａは現在の冷却ファン１１の回転数を検知し、冷却ファン回転数制御部１２ｂは冷却ファン回転数検知部１２ａの結果を受けて冷却ファン１１の回転数を変化させる。
【００１５】
熱交換部制御部１３は熱交換部面積制御部１３ａ、熱交換部温度検知部１３ｂ、熱交換部面積検知部１３ｃから構成される。熱交換部面積制御部１３ａは熱交換部１０において冷却媒体と熱交換を行う表面の面積（以下、熱交換部面積）を変化させる。熱交換部温度検知部１３ｂは現在の熱交換部１０の温度を検知する。熱交換部面積検知部１３ｃは現在の熱交換部１０の面積を検知する。
【００１６】
熱交換部温度検知部１３ｂが熱交換部１０の温度上昇を検知すると、それに合わせて冷却ファン回転数制御部１２ｂが、冷却ファン１１の回転数が増加するように制御を行う。その際に、カメラシステム制御部５は、撮影状態（撮影モード）を検知し、例えば動画撮影や長秒露光撮影など、冷却ファン１１の駆動音や振動が、撮影に対して影響を及ぼすと考えられる場合は異なる制御を行う。
【００１７】
前記のような、冷却ファン１１が撮影に影響を与える場合、冷却ファン１１の回転数を下げつつも、それに合わせて、放熱効果の低減が極力少なくなるように、熱交換部面積制御部１３ａは熱交換部１０の面積が小さくなるように変化させる。つまり、冷却ファン１１の回転数が下がるほど、熱交換部１０の面積が小さくなるように熱交換部面積を変化させる。これにより、冷却ファン１１の駆動音や振動が撮影に影響を及ぼすような場合に、冷却ファン１１の回転数を低くし、なおかつ、低い回転数の駆動でもより効率よく熱交換を行うことが可能となる。
【００１８】
一方で、例えば冷却ファン１１の駆動音や振動が撮影に影響を及ぼさない場合も異なる制御を行う。前記のような、冷却ファン１１が撮影に影響を与えない場合は冷却ファン１１の回転数を上げてもよいので、放熱効果を極力上げ、熱による温度上昇を遅らせることにより、撮影不可能となる温度まで到達する時間を遅らせ、撮影可能時間を延ばす。つまり、冷却ファン１１の回転数が上がるほど、熱交換部１０の面積が大きくなるように熱交換部１０の面積を変化させる。
【００１９】
これにより、冷却ファン１１の駆動音や振動が撮影に影響を及ぼさないような場合に、冷却ファン１１の回転数を高くし、なおかつ、熱交換部１０の面積を大きくすることにより、効率よく熱交換を行うことが可能となる。
【００２０】
カメラシステム制御部５は撮影動作の制御に加えて、レンズシステム制御部１５との通信が可能であり、画像処理部７、メモリ部８及びレンズシステム制御部１５からの信号を管理する。そして、光軸４に沿って撮影光学系３を通過した光束が結像する位置に撮像素子６が配され、撮像素子６で光電変換後、Ａ／Ｄ変換部で量子化処理された信号が画像処理部７に送られる。
【００２１】
画像処理部７は、内部にホワイトバランス回路、ガンマ補正回路、補間演算回路等を有しており、撮像素子６からの出力信号を処理し画像を生成する。画像処理部７で生成された画像はメモリ部８に記録される。メモリ部８は実際の記録部に加えて記録に必要な処理回路を備えている。カメラ本体１はその他の撮影に関わる部及び機能を有するが、本発明の要部ではないので図示及び説明を省略する。
【００２２】
次に、図２、図３及び図４を用いて熱交換部の構成について説明する。なお、図２及び図３では、図１と同じものには同じ番号を付している。
【００２３】
図２（ａ）は熱交換部１０及び冷却ファン１１で構成された流路部１４を示しており、矢印２１は流路部１４内の冷却媒体である空気が流れる方向（流路方向）を示している。基板２２には熱源となる回路素子が実装されている。また、図２（ｂ）は流路部１４の内部を示している。熱交部１０には放熱フィン２３が設けられ、冷却ファン１１には回転する羽２４が設けられている。
【００２４】
図３は熱交換部１０に設けられた放熱フィン２３の拡大図である。図３に示すように、放熱フィン２３は固定フィン２３ａと可動フィン２３ｂ、２３ｃとから構成される。可動フィン２３ｂ、２３ｃはそれぞれ冷却媒体が流れる方向（流路方向：矢印３２）と垂直な方向に不図示のアクチュエータを介して動くことが可能であり、図３（ａ）、（ｂ）、（ｃ）のように熱交換部１０を変形させる。
【００２５】
矢印３１ａ、３１ｂ、３１ｃは放熱フィン２３によって作られる流路の幅を示しており、図３（ａ）、（ｂ）、（ｃ）に示すように熱交換部１０に対して変化する。図４（ａ）、（ｂ）、（ｃ）はそれぞれ、図３（ａ）、（ｂ）、（ｃ）の熱交換部１０に対応する流路の断面図を示している。
【００２６】
図３（ａ）では、固定フィン２３ａと、可動フィン２３ｂ、２３ｃがそれぞれ密着しているため、冷却媒体の流れる流路幅は矢印３１ａで示された幅となり、冷却媒体との熱交換は、図４（ａ）の破線４１ａで示した表面で行われる。
【００２７】
図３（ｂ）では、図３（ａ）の状態から可動フィン２３ｃが移動し、冷却媒体が流れる流路幅が等しくなるように各フィンが配置された状態を示している。この場合も固定フィン２３ａと可動フィン２３ｂは密着しているため、流路幅は矢印３１ｂで示された幅となり、冷却媒体との熱交換は、図４（ｂ）の破線４１ｂで示した表面で行われる。
【００２８】
図３（ｃ）では、図３（ｂ）の状態からさらに可動フィン２３ｂが移動し、流路幅が等しくなるように各フィンが配置された状態を示している。この場合の流路幅は矢印３１ｃで示された幅となり、冷却媒体との熱交換は、図４（ｃ）の破線４１ｃで示した表面で行われる。
【００２９】
熱交換部１０が図３（ａ）の状態から、図３（ｂ）、（ｃ）のように変化し、流路幅が矢印３１ａから矢印３１ｃのように減少していくと、冷却媒体が流れる際に接触する熱交換部の表面積（以下、熱交換部面積とする）は増加していく。この様子が図４の破線４１ａから破線４１ｃで示される。つまり、図３（ａ）〜（ｃ）で示した流路幅の変化は、熱交換部面積を変化させることに相当する。
【００３０】
なお、図３（ａ）、（ｂ）、（ｃ）で示したように熱交換部面積を変更する制御は、冷却ファン１１の回転数に応じて行われる。また、図３では、固定フィン２３ａ、２３ｂ、２３ｃにより形成される流路幅が、等しくなるように配置された状態を示しているが、必ずしも流路幅が等しくなくても構わない。なお、本実施例では冷却媒体が流れる流路幅を変化させることにより、熱交換部面積を変化させたが、冷却ファン１１の回転数に応じて熱交換部面積が変化すれば、他の方法を用いても構わない。
【００３１】
次に、図５を用いて、冷却ファン１１の回転数に応じて熱交換部面積を変化させることで得られる効果について説明する。図５は冷却ファン１１の回転数と、熱交換部１０と外気温との温度差の関係を表すグラフである。図５の縦軸は冷却ファン１１の回転数ｎ、横軸は熱交換部１０と外気温との温度差ΔＴである。そして、グラフ５１は熱交換部面積が小さい場合（図３（ａ）で示した状態）の関係を表し、グラフ５２は熱交換部面積が大きい場合（図３（ｃ）で示した状態）の関係を表している。すなわち、このグラフは、縦軸の熱交換部と外気温との温度差ΔＴが小さいほど、冷却ファン１１により、よく冷却されていることを示すものである。
【００３２】
冷却ファン１１の回転数が低い場合（例えば回転数ｎ１の場合）、熱交換部面積が小さい場合（図３（ａ）で示した状態）の方が、熱交換部の面積が大きい場合（図３（ｃ）で示した状態）と比べてよく冷却されている（ΔＴ１ｗ＜ΔＴ１ｎ）。一方で、冷却ファン１１の回転数が高い場合（例えば回転数ｎ２の場合）、熱交換部面積が小さい場合（図３（ａ）で示した状態）の方が、熱交換部面積が大きい場合（図３（ｃ）で示した状態）と比べてよく冷却されている（ΔＴ２ｎ＜ΔＴ２ｗ）。
【００３３】
次に、上述したように、冷却ファン１１の回転数によって放熱効果の高い熱交換部面積が異なる理由について説明する。
【００３４】
冷却ファン１１の回転数が小さい場合、冷却ファン１１によって冷却媒体が流路を流れる際に生じる圧力が小さくなる。そのため、熱交換部面積が大きく、熱交換部１０の表面での接触摩擦が大きいと、冷却媒体が流路を通り抜けるよりも先に、冷却媒体が温まりきってしまう。そして、冷却媒体と熱交換部の温度差が小さくなるため、熱交換が行われにくくなる。したがって、冷却ファン１１の回転数が小さい場合は、熱交換部面積を小さくする（図３（ａ）のようにする）ことで、冷却媒体が流路を流れやすなり、熱交換の効率が高くなる。
【００３５】
一方で、冷却ファン１１の回転数が大きい場合、冷却ファン１１によって冷却媒体が流路を流れる際に生じる圧力が大きくなる。そのため、熱交換部面積が大きく、熱交換部１０の表面での接触摩擦が大きくても、冷却媒体が温まりきる前に流路を通過することができるため、熱交換の効率が高い。この場合、熱交換部面積が小さいと、熱交換を行う前に冷却媒体が流路を通過してしまうため、熱交換の効率が悪くなってしまう。したがって、冷却ファン１１の回転数が大きい場合は、熱交換部面積を大きくする（図３（ｃ）のようにする）。
【００３６】
以上のような理由から、図５に示すように冷却ファン１１の回転数によって放熱効果の高い熱交換部面積は異なる。
【００３７】
次に、冷却ファン１１の回転数に応じて熱交換部面積を変更することで、放熱効果が変化することによる利点を説明する。冷却ファン１１の回転数が大きく（例えば、冷却ファン１１の回転数ｎ２）、熱交換部面積がグラフ５２のように大きい状態（図３（ｃ）で示した状態）にあるときに、動画撮影を開始した場合について述べる。
【００３８】
まず、動画撮影を開始する前の段階では冷却ファンの回転数がｎ２であるため、外気温との温度差がΔＴ２ｎ＜ΔＴ２ｗの関係にあることから、熱交換部面積が大きい場合（図３（ｃ）で示した状態）の方が放熱効果が高い。
【００３９】
動画撮影が開始されると、冷却ファン１１の回転数がｎ２と大きい状態では、駆動音や振動により動画撮影に影響が出るため、冷却ファン１１の回転数をｎ１に下げるように制御する。それとともに熱交換部面積が小さくなるように制御する。その場合、外気温との温度差がΔＴ１ｗ＜ΔＴ１ｎの関係にあることから、冷却ファン１１の回転数を下げるとともに熱交換部の面積を小さくする。このように制御することにより、冷却ファン１１の回転数を下げるだけの場合と比べて、放熱効果を上げることが可能になる。
【００４０】
このように冷却ファン１１の駆動音や振動により、撮影に影響が出てしまう場合に、放熱効果を上げるために有効である。
【００４１】
次に、図６のフローチャートを用いて熱交換部１０の面積を変化させるフローについて説明する。このフローは撮像装置に電源が投入される度にスタートする。
【００４２】
ステップ＃６００１では、カメラシステム制御部５は、撮影状態を検知し、現在、動画撮影中か否かを判定し、動画撮影中であればステップ＃６００２へ、そうでなければステップ＃６００３へ進む。ステップ＃６００２では、カメラシステム制御部５は、ファン回転数制御部１２ｂと通信を行い、冷却ファンの最大回転数の変更を行い（冷却ファン１１の回転数を動画撮影に対応させ）、ステップ＃６００３へ進む。
【００４３】
ステップ＃６００３では、カメラシステム制御部５は、熱交換部温度検知部１３ｂを用いて、現在の熱交換部の温度を検知するとともに記憶してステップ＃６００４へ進む。ステップ＃６００４では、カメラシステム制御部５は、冷却ファン回転数検知部１２ａを用いて、現在の冷却ファン１１の回転数を検知するとともに記憶してステップ＃６００５へ進む。
【００４４】
ステップ＃６００５では、カメラシステム制御部５は、ステップ＃６００３で記憶した熱交換部１０の温度を基に、冷却ファン１１の回転数を変更するか否かを判定し、変更する場合はステップ＃６００６へ、しない場合はステップ＃６００７へ進む。
【００４５】
ステップ＃６００６では、カメラシステム制御部５は、冷却ファン１１の回転数を決定し、冷却ファン回転数制御部１２ｂを通して、冷却ファン１１の回転数を変更する。このとき、ステップ＃６００１において、動作撮影中であると判定された場合は、変更することが可能な冷却ファン１１の最大回転数はステップ＃６００２において設定された最大値となる。また、本実施例では動画撮影中の冷却ファン１１の最大回転数をある一つの値としたが、通常状態に対してある一定の割合分回転数を小さくするといった方法で定めてもよい。
【００４６】
ステップ＃６００７では、カメラシステム制御部５は、熱交換部面積検知部１３ｃを用いて、熱交換部１０における熱交換部面積を記憶し、ステップ＃６００８へ進む。ここで記憶する熱交換部面積とは、固定フィン２３ａ、可動フィン２３ｂ、及び２３ｃのそれぞれの位置、または間隔の設定状態のことを示す。
【００４７】
ステップ＃６００８では、カメラシステム制御部５は、ステップ＃６００５又はステップ＃６００６により決められた冷却ファン１１の回転数及び、ステップ＃６００７において記憶した熱交換部面積を基に、熱交換部面積を変更するか否かを判定する。判定の結果、熱交換部面積を変更する場合はステップ＃６００９へ、変更しない場合はステップ＃６０１０へ進む。
【００４８】
ステップ＃６００９では、カメラシステム制御部は、ステップ＃６００８において判定した結果を基に、現在の冷却ファン１１の回転数に対応した熱交換部面積になるように熱交換部面積制御部を通して、熱交換部面積を変更し、ステップ＃６０１０へ進む。ここで変更する熱交換部の面積とは、ステップ＃６００７と同様に、固定フィン２３ａ、可動フィン２３ｂ、及び２３ｃのそれぞれの位置、または間隔の設定状態のことを示す。
【００４９】
ステップ＃６０１０では、カメラシステム制御部５は、撮像装置の電源がＯＦＦになったか否かを判定し、ＯＦＦになっていればフローを終了し、ＯＦＦになっていなければステップ＃６００１へ戻り、再度フローを開始する。
【００５０】
以上説明したような構成により、冷却ファンの回転数にかかわらず十分な放熱効果を得ることができる。
【００５１】
［実施例２］
図７は本発明の実施例２に関わる熱交換部１０を説明する図である。ここでは、図３と異なる構成についてのみ詳述する。実施例１の図３と異なる点としては、放熱フィンの可動方向が挙げられる。
【００５２】
図７に示すように、放熱フィンは、固定フィン７１と可動フィン７２ａ、７２ｂとから構成される。可動フィン７２ａ、７２ｂはそれぞれ、不図示のアクチュエータを介して動くことが可能である。図７（ａ）、（ｂ）、（ｃ）はそれぞれ、可動フィン７２ａ、７２ｂが動いた場合の熱交換部１０の長さを示している。
【００５３】
図３では、固定フィン２３ａに対して、可動フィン２３ｂ、２３ｃが冷却媒体の流れる方向（流路方向：矢印３２）と垂直な方向に動かすことにより熱交換部面積を変化させた。本実施例２では、可動ファン７２ａ、７２ｂは、冷却媒体が流れる方向（流路方向：矢印７４）と平行に動かすことで伸縮可能である。
【００５４】
図７のように熱交換部１０の長さを変化させた場合も、図３と同様に熱交換部面積が変化するため、冷却ファン１１の回転数に応じて、効率よく熱交換を行うことのできる熱交換部１０の長さが存在する。
【００５５】
冷却ファン１１の回転数が小さい場合、冷却ファン１１によって冷却媒体が流路を流れる際に生じる圧力が小さくなる。そのため、流路の長さが長いと、熱交換部１０の表面での接触摩擦が大きく（熱交換部面積が大きく）、冷却媒体が流路を通り抜けるよりも先に、冷却媒体が温まりきってしまう。そして、冷却媒体と熱交換部の温度差が小さくなるため、熱交換が行われにくくなる。したがって、冷却ファン１１の回転数が小さい場合は、熱交換部面積を小さくする、つまり熱交換部の長さを短くする（図７（ａ）のようにする）ことで、冷却媒体が流路を流れやすなり、熱交換の効率が高くなる。
【００５６】
一方で、冷却ファン１１の回転数が大きい場合、冷却ファン１１によって冷却媒体が流路を流れる際に生じる圧力が大きくなる。そのため、流路の長さが長いと、熱交換部１０の表面での接触摩擦が大きくても（熱交換部面積が大きくても）、冷却媒体が温まりきる前に流路を通過することができるため、熱交換の効率が高い。この場合、流路が短く、熱交換部面積が小さいと、熱交換を行う前に冷却媒体が流路を通過してしまうため、熱交換の効率が悪くなってしまう。したがって、冷却ファン１１の回転数が大きい場合は、熱交換部の長さを長くする（図７（ｃ）のようにする）。
【００５７】
このように、熱交換部１０の放熱フィンの間隔を変えず、放熱フィンの長さを変化させることによっても、熱交換部面積を変化させることが可能である。
【００５８】
図７（ａ）では、固定フィン７１と、可動フィン７２ａ、及び７２ｂがそれぞれ密着しているため、冷却媒体の熱交換可能な距離は矢印７３ａで示した距離となり、冷却媒体との熱交換は可動フィン７２ｂの表面のみで行われる。
【００５９】
図７（ｂ）は、図７（ａ）の状態から可動フィン７２ｂを冷却媒体が流れる方向（流路方向）に移動した状態を示している。この場合も固定フィン７１と可動フィン７２ａは密着しているため、冷却媒体との熱交換可能な距離は矢印７３ｂで示した距離となり、冷却媒体との熱交換は可動フィン７２ａと可動フィン７２ｂの表面で行われる。
【００６０】
図７（ｃ）は、図７（ｂ）の状態から可動フィン７２ｂに加えて可動フィン７２ａを冷却媒体が流れる方向（流路方向）に移動した状態を示している。この場合は、冷却媒体との熱交換可能な距離は矢印７３ｃで示した距離となり、冷却媒体との熱交換は固定フィン７１、可動フィン７２ａと可動フィン７２ｂの表面で行われる。
【００６１】
熱交換部１０が図７（ａ）の状態から、図７（ｂ）、（ｃ）のように変化し、流路長さが矢印７３ａから矢印７３ｃのように増加していくと、上述のように、冷却媒体が流れる際に接触して熱交換を行う熱交換部面積が増加していく。つまり、図７（ａ）〜（ｃ）で示した熱交換部の長さの変化は、図３と同様に、熱交換部面積を変化させることに相当する。
【００６２】
また、図７（ａ）、（ｂ）、（ｃ）で示したように熱交換部面積を変更する制御は、図３の場合と同様に、冷却ファン１１の回転数に応じて行われる。なお、実施例２において、熱交換部１０の面積を変化させるフローは、実施例１の図６で示したフローと同じである。ただし、本実施例では、ステップ＃６００７で取得、またステップ＃６００９で変更する熱交換部の面積は、矢印７３ａ〜７３ｃで示した熱交換部１０の長さのことを示す。
【００６３】
以上説明したような構成により、冷却ファンの回転数にかかわらず十分な放熱効果を得ることができる。
【００６４】
［実施例３］
図８は本発明の実施例３に関わる熱交換部を説明する図である。ここでは、図３と異なる構成についてのみ詳述する。実施例１の図３と異なる点としては、放熱フィンの構造が挙げられる。
【００６５】
図８に示すように、放熱フィンはボス形状をしており、固定部８１に対して可動する可動フィン８２から構成される。矢印８４は冷却媒体が流れる方向（流路方向）を示している。可動フィン８２はそれぞれ、不図示のアクチュエータを介して高さ方向へ動くことで伸縮可能であり、図８（ａ）の状態から、図８（ｂ）、（ｃ）のようにボスがせり出すように変化する。図８（ａ）、（ｂ）、（ｃ）はそれぞれ、可動フィン８２が動いた場合の可動フィン８２の高さを示している。
【００６６】
図８のように熱交換部１０における放熱フィンの高さを変化させた場合も、図３と同様に熱交換部面積が変化するため、冷却ファン１１の回転数に応じて、効率よく熱交換を行うことのできる熱交換部１０の放熱フィンの高さが存在する。
【００６７】
冷却ファン１１の回転数が小さい場合、冷却ファン１１によって冷却媒体が流路を流れる際に生じる圧力が小さくなる。そのため、放熱フィンの高さが高いと、熱交換部１０の表面での接触摩擦が大きく（熱交換部面積が大きく）、冷却媒体が流路を通り抜けるよりも先に、冷却媒体が温まりきってしまう。そして、冷却媒体と熱交換部の温度差が小さくなるため、熱交換が行われにくくなる。したがって、冷却ファン１１の回転数が小さい場合は、熱交換部面積を小さくする、つまり熱交換部の放熱フィンの高さを低くする（図８（ａ）のようにする）ことで、冷却媒体が流路を流れやすなり、熱交換の効率が高くなる。
【００６８】
一方で、冷却ファン１１の回転数が大きい場合は、冷却ファン１１によって冷却媒体が流路を流れる際に生じる圧力が大きくなる。そのため、放熱フィンの高さが高いと、熱交換部１０の表面での接触摩擦が大きくても（熱交換部面積が大きくても）、冷却媒体が温まりきる前に流路を通過することができるため、熱交換の効率が高い。この場合、放熱フィンの高さが低く、熱交換部面積が小さいと、熱交換を行う前に冷却媒体が流路を通過してしまうため、熱交換の効率が悪くなってしまう。したがって、冷却ファン１１の回転数が大きい場合は、熱交換部の放熱フィンの高さを高くする（図８（ｃ）のようにする）。
【００６９】
このように、熱交換部１０の放熱フィンの間隔を変えず、放熱フィンの高さを変化させることによっても、熱交換部面積を変化させることが可能である。
【００７０】
図８（ａ）では、熱交換部１０と冷却媒体との熱交換は、固定部８１及び可動フィン８２（高さ８３ａ）の表面で行われる。
【００７１】
図８（ｂ）は、図８（ａ）の状態から可動フィン８２が高さ方向に移動した状態を示している。この場合の熱交換部１０と冷却媒体との熱交換は、固定部８１及び可動フィン８２（高さ８３ｂ）の表面で行われる。この際、可動フィン８２の高さ８３ｂは高さ８３ａよりも高いため、冷却媒体と熱交換を行う表面積は図８（ａ）よりも大きくなる。
【００７２】
図８（ｃ）は、図８（ｂ）の状態から、さらに可動フィン８２が高さ方向に移動した状態を示している。この場合の熱交換部１０と冷却媒体との熱交換は、固定部８１及び、可動フィン８２（高さ８３ｃ）の表面で行われる。この際、可動フィン８２の高さ８３ｃは高さ８３ｂよりも高いため、冷却媒体と熱交換を行う表面積は図８（ｂ）よりも大きくなる。
【００７３】
熱交換部１０が図８（ａ）の状態から、図８（ｂ）、（ｃ）のように変化し、矢印８３ａから矢印８３ｃで示される可動フィン８２の高さが増加するにしたがって、上述のように、冷却媒体が流れる際に接触して熱交換を行う熱交換部面積が増加していく。つまり、図８（ａ）〜（ｃ）で示した可動フィン８２の高さの変化（矢印８３ａ〜８３ｃ）は、図３と同様に、熱交換部面積を変化させることに相当する。
【００７４】
また、図８（ａ）、（ｂ）、（ｃ）で示したように熱交換部面積を変更する制御は、図３の場合と同様に、冷却ファン１１の回転数に応じて行われる。なお、実施例３において、熱交換部１０の面積を変化させるフローは、実施例１の図６で示したフローと同じである。ただし、本実施例では、ステップ＃６００７で取得、またステップ＃６００９で変更する熱交換部の面積は、矢印８３ａ〜８３ｃで示した可動フィン８２の高さのことを示す。また、本実施例では、可動フィン８２を円形のボス形状として説明したが、高さ方向に伸展可能なものであれば、形状はどのようなものでも構わない。
【００７５】
以上説明したような構成により、冷却ファンの回転数にかかわらず十分な放熱効果を得ることができる。
【００７６】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００７７】
１  カメラ本体
２  レンズ鏡筒
１０  熱交換部
１１  冷却ファン
１２  冷却ファン制御部
１３  熱交換部制御部
１４  流路部
【図１】
2018093299.tif 000003
【図２】
2018093299.tif 000004
【図３】
2018093299.tif 000005
【図４】
2018093299.tif 000006
【図５】
2018093299.tif 000007
【図６】
2018093299.tif 000008
【図７】
2018093299.tif 000009
【図８】
2018093299.tif 000010